(57)【特許請求の範囲】
【請求項１】
入力電圧を昇圧して直流電圧を出力する昇圧コンバータと、
前記昇圧コンバータから出力された直流電圧を降圧して直流電圧を出力する絶縁型共振コンバータと、
前記昇圧コンバータは、昇圧リアクトル、ダイオードおよびコンデンサと、前記昇圧リアクトルへの通電を制御する第１スイッチング素子と、を有し、
前記絶縁型共振コンバータは、１次巻線および２次巻線を有するトランスと、前記トランスの１次側に接続された共振コンデンサおよび共振リアクトルと、前記共振コンデンサおよび前記共振リアクトルへの通電を制御する、互いに直列に接続された第２スイッチング素子および第３スイッチング素子と、前記トランスの２次側に接続された整流回路と、を有する直流変換装置の制御方法であって、
前記第２スイッチング素子および前記第３スイッチング素子を、デッドタイムを挟んで、固定オンデューティ比で交互にオンオフ制御する制御ステップを有し、
前記制御ステップは、前記絶縁型共振コンバータの出力電流があらかじめ定められた値を超えた場合に、前記昇圧コンバータから出力される直流電圧を低下させるステップを含む
直流変換装置の制御方法。
【請求項２】
前記制御ステップは、前記入力電圧があらかじめ定められた電圧よりも高い場合には、前記第１スイッチング素子のスイッチングを停止するとともに、前記第２スイッチング素子および前記第３スイッチング素子のデッドタイムを増加させて、前記絶縁型共振コンバータの出力電圧を低下させるステップを含む
請求項１に記載の直流変換装置の制御方法。
【請求項３】
前記制御ステップは、前記絶縁型共振コンバータの出力電流があらかじめ定められた値を超えた場合に、前記第２スイッチング素子および前記第３スイッチング素子のスイッチング周波数を増加させるステップを含む
請求項１または請求項２に記載の直流変換装置の制御方法。
【請求項４】
前記制御ステップは、前記絶縁型共振コンバータの出力電流があらかじめ定められた値を超えた場合に、前記第２スイッチング素子および前記第３スイッチング素子のデッドタイムを増加させるステップを含む
請求項１から請求項３までの何れか１項に記載の直流変換装置の制御方法。
【請求項５】
前記制御ステップは、前記第１スイッチング素子と前記昇圧コンバータから出力される直流電圧の負側に接続されている前記第３スイッチング素子とのオンオフタイミングを同期させるステップを含む
請求項１から請求項４までの何れか１項に記載の直流変換装置の制御方法。
【請求項６】
前記整流回路は、同期整流回路である
請求項１から請求項５までの何れか１項に記載の直流変換装置の制御方法。
【請求項７】
前記制御ステップは、スイッチング周波数の半周期と、前記共振コンデンサと前記共振リアクトルとで構成される直列共振回路の直列共振周波数の半周期に、デッドタイムを加えた時間とが等しくなるように制御するステップを含む
請求項６に記載の直流変換装置の制御方法。
【請求項８】
前記制御ステップは、前記絶縁型共振コンバータの出力電圧があらかじめ定められた値を超えた場合に、前記昇圧コンバータから出力される直流電圧を増加させるステップを含む
請求項６に記載の直流変換装置の制御方法。
【請求項９】
前記絶縁型共振コンバータは、前記トランスの２次巻線に流れる電流値を取得する出力電流検出回路をさらに有し、
前記制御ステップは、前記出力電流検出回路から取得した電流値が０Ａとなるタイミングで、前記同期整流回路のスイッチング素子をオフするステップを含む
請求項６に記載の直流変換装置の制御方法。
【請求項１０】
前記制御ステップは、前記出力電流検出回路から取得した電流値に応じて、前記絶縁型共振コンバータのスイッチング周波数を制御するステップを含む
請求項９に記載の直流変換装置の制御方法。
【請求項１１】
前記直流変換装置は、温度センサをさらに備え、
前記制御ステップは、前記温度センサで検出された温度に応じて、前記絶縁型共振コンバータのスイッチング周波数を制御するステップを含む
請求項６に記載の直流変換装置の制御方法。
【請求項１２】
前記制御ステップは、前記第２スイッチング素子および前記第３スイッチング素子のスイッチング周波数を、第１スイッチング周波数から前記第１スイッチング周波数よりも高い第２スイッチング周波数の間まで、あらかじめ定められた周期で増減させ、この周期毎にスイッチング周波数の増減を繰り返すステップを含む
請求項１から請求項６までの何れか１項に記載の直流変換装置の制御方法。
【請求項１３】
前記制御ステップは、前記あらかじめ定められた周期毎に前記昇圧コンバータから出力される前記直流電圧を増減させるステップを含む
請求項１２に記載の直流変換装置の制御方法。
【請求項１４】
前記制御ステップは、前記あらかじめ定められた周期の逆数が、前記スイッチング素子のオンオフにより発生するノイズを測定する受信機の分解能帯域幅以上となるように、前記あらかじめ定められた周期を設定するステップを含む
請求項１２に記載の直流変換装置の制御方法。
【請求項１５】
前記制御ステップは、前記第１スイッチング周波数を、前記トランスが磁束飽和に至らない周波数となるように設定するステップを含む
請求項１２に記載の直流変換装置の制御方法。
【請求項１６】
入力電圧を昇圧して直流電圧を出力する昇圧コンバータと、
前記昇圧コンバータから出力された直流電圧を降圧して直流電圧を出力する絶縁型共振コンバータと、
前記昇圧コンバータは、昇圧リアクトル、ダイオードおよびコンデンサと、前記昇圧リアクトルへの通電を制御する第１スイッチング素子と、を有し、
前記絶縁型共振コンバータは、１次巻線および２次巻線を有するトランスと、前記トランスの１次側に接続された共振コンデンサおよび共振リアクトルと、前記共振コンデンサおよび前記共振リアクトルへの通電を制御する、互いに直列に接続された第２スイッチング素子および第３スイッチング素子と、前記トランスの２次側に接続された整流回路と、を有する直流変換装置の制御方法であって、
前記第２スイッチング素子および前記第３スイッチング素子を、デッドタイムを挟んで、固定オンデューティ比で交互にオンオフ制御する制御ステップを有し、
前記制御ステップは、前記入力電圧があらかじめ定められた電圧よりも高い場合には、前記第１スイッチング素子のスイッチングを停止するとともに、前記第２スイッチング素子および前記第３スイッチング素子のデッドタイムを増加させて、前記絶縁型共振コンバータの出力電圧を低下させるステップを含む
直流変換装置の制御方法。
【請求項１７】
入力電圧を昇圧して直流電圧を出力する昇圧コンバータと、
前記昇圧コンバータから出力された直流電圧を降圧して直流電圧を出力する絶縁型共振コンバータと、
前記昇圧コンバータは、昇圧リアクトル、ダイオードおよびコンデンサと、前記昇圧リアクトルへの通電を制御する第１スイッチング素子と、を有し、
前記絶縁型共振コンバータは、１次巻線および２次巻線を有するトランスと、前記トランスの１次側に接続された共振コンデンサおよび共振リアクトルと、前記共振コンデンサおよび前記共振リアクトルへの通電を制御する、互いに直列に接続された第２スイッチング素子および第３スイッチング素子と、前記トランスの２次側に接続された整流回路と、を有する直流変換装置の制御方法であって、
前記第２スイッチング素子および前記第３スイッチング素子を、デッドタイムを挟んで、固定オンデューティ比で交互にオンオフ制御する制御ステップを有し、
前記制御ステップは、前記絶縁型共振コンバータの出力電流があらかじめ定められた値を超えた場合に、前記第２スイッチング素子および前記第３スイッチング素子のデッドタイムを増加させるステップを含む
直流変換装置の制御方法。
【請求項１８】
入力電圧を昇圧して直流電圧を出力する昇圧コンバータと、
前記昇圧コンバータから出力された直流電圧を降圧して直流電圧を出力する絶縁型共振コンバータと、
前記昇圧コンバータは、昇圧リアクトル、ダイオードおよびコンデンサと、前記昇圧リアクトルへの通電を制御する第１スイッチング素子と、を有し、
前記絶縁型共振コンバータは、１次巻線および２次巻線を有するトランスと、前記トランスの１次側に接続された共振コンデンサおよび共振リアクトルと、前記共振コンデンサおよび前記共振リアクトルへの通電を制御する、互いに直列に接続された第２スイッチング素子および第３スイッチング素子と、前記トランスの２次側に接続された整流回路と、を有する直流変換装置の制御方法であって、
前記第２スイッチング素子および前記第３スイッチング素子を、デッドタイムを挟んで、固定オンデューティ比で交互にオンオフ制御する制御ステップを有し、
前記制御ステップは、スイッチング周波数の半周期と、前記共振コンデンサと前記共振リアクトルとで構成される直列共振回路の直列共振周波数の半周期に、デッドタイムを加えた時間とが等しくなるように制御するステップを含む
直流変換装置の制御方法。
【発明の詳細な説明】
【技術分野】
【０００１】
この発明は、２段構成のコンバータを有する直流変換装置の制御方法に関する。
【背景技術】
【０００２】
近年、環境に優しい自動車として、電気自動車（ＥＶ：Ｅｌｅｃｔｒｉｃ  Ｖｅｈｉｃｌｅ）やＨＥＶ（Ｈｙｂｒｉｄ  Ｅｌｅｃｔｒｉｃ  Ｖｅｈｉｃｌｅ）／ＰＨＥＶ（Ｐｌｕｇ−ｉｎ  Ｈｙｂｒｉｄ  Ｅｌｅｃｔｒｉｃ  Ｖｅｈｉｃｌｅ）等のハイブリッド自動車が開発されている。
【０００３】
このような自動車は、従来の自動車にも搭載されていた、制御回路を動作させる補機用電池に加えて、充電された電力により走行用の電動モータを駆動させる駆動用電池を搭載している。また、このような自動車では、パワーエレクトロニクス技術の進歩を背景に、燃費を向上させるために、電動パワートレインコンポーネントの低損失化、高効率化が望まれている。
【０００４】
ここで、走行用の電動モータに電力を供給する駆動用電池から、補機用電池の充電を行うために必要な直流変換装置として、降圧用のコンバータ（以下、「降圧コンバータ」と称する）がある。このような降圧コンバータとして、一般的にフルブリッジのコンバータ回路が使用され、位相シフト制御により、高効率な降圧コンバータを実現している。
【０００５】
しかしながら、フルブリッジのコンバータ回路では、軽負荷動作時にトランス１次側のスイッチ素子におけるゼロボルトスイッチング（ＺＶＳ：Ｚｅｒｏ  Ｖｏｌｔａｇｅ  ｓｗｉｔｃｈｉｎｇ）の成立が困難になるので、軽負荷動作時の効率が低下するという問題があった。
【０００６】
なお、フルブリッジのコンバータ回路において、軽負荷動作時にＺＶＳを成立させるためには、共振リアクトルのインダクタンス値を増加させる必要があるが、その結果、共振リアクトルのサイズやコストが増加する。また、降圧コンバータは、高電圧を低電圧に電力変換するために、トランスの１次巻線が２次巻線よりも多い。そのため、トランス１次側に流れる電流が小さく、共振リアクトルを用いても、全範囲でのＺＶＳを成立させることは、極めて困難である。
【０００７】
一方、軽負荷動作時においてもＺＶＳが成立するコンバータ回路として、一般的にＬＬＣ（ｔｗｏ  ｉｎｄｕｃｔｏｒｓ（ＬＬ）  ａｎｄ  ａ  ｃａｐａｃｉｔｏｒ（Ｃ））共振コンバータが知られている。このコンバータ回路は、ブリッジ回路の上下に対向するスイッチング素子のオンとオフとを交互に切り替えて、正弦波状の共振電流を生成させることで電力伝送を行う。
【０００８】
ＬＬＣ共振コンバータの特徴は、軽負荷動作時においてもＺＶＳが成立することで、フルブリッジのコンバータ回路に比べて軽負荷動作時における効率が高いことはもちろん、電力伝送経路にコンデンサが直列接続されているので、トランスの偏磁が発生せず、偏磁対策用の回路を別途設ける必要がないことである。また、トランス２次側の整流回路後段に平滑用リアクトルを設ける必要がないので安価である。
【０００９】
なお、トランス２次側に平滑用リアクトルを設ける必要がないのは、フルブリッジのコンバータ回路が、スイッチング周波数を固定した上で、ＰＷＭ（Ｐｕｌｓｅ  Ｗｉｄｔｈ  Ｍｏｄｕｌａｔｉｏｎ）制御により、デューティを増減させることで、平滑用リアクトルにかかる電圧を制御し、電流を調整しているのに対して、ＬＬＣ共振コンバータは、デューティをほぼ５０％とした上で、周波数制御により、スイッチング周波数を増減させることで、共振コンデンサ、共振用インダクタンスのインピーダンスを調整し、トランス１次側に印加する電圧を制御するためである。
【００１０】
また、ＬＬＣ共振コンバータでは、共振リアクトルと共振コンデンサとで構成される直列共振回路の直列共振周波数と、スイッチング周波数とが近い場合に、整流回路に流れる共振電流が０Ａ付近でオフされることになるので、サージ電圧が抑制されるという特徴を有する。
【００１１】
しかしながら、ＬＬＣ共振コンバータは、出力側の負荷によってゲイン特性が変化し、一般的に、軽負荷動作時にはゲインが低下しづらく、また、重負荷動作時にはゲインが１以上にならないという問題があった。そのため、ＬＬＣ共振コンバータは、入力電圧範囲が広く、かつ負荷電流範囲の広い対象については適していない。
【００１２】
さらに、ＬＬＣ共振コンバータは、重負荷動作時には、ゲインを増加させることが困難なので、トランスの巻数比を大きくとることができない。そのため、重負荷動作時には、トランス１次側に流れる電流が大きく、スイッチング素子や共振リアクトル、共振コンデンサ、トランスのサイズが大型化し、大電力を出力する場合には、フルブリッジのコンバータ回路よりも大型化することがある。
【００１３】
ここで、一般的に、駆動用電池は電圧範囲が広く、また、アクセサリの状況、すなわちユーザの使用状況によって、降圧コンバータから補機用電池に流す充電電流が変わるので、降圧コンバータは、入力電圧範囲が広く、かつ負荷電流範囲が広い。そのため、全範囲において高効率で充電することは、上述した２つのコンバータでは、実現が困難であるという問題があった。
【００１４】
そこで、上記の問題を解決するために、共振コンバータ回路の前段に昇圧コンバータを設けてコンバータを２段構成とし、前段のコンバータをスイッチング制御することで、後段のコンバータへの入力電圧の変動を制御し、入力電圧範囲を広く設定しても、定常時における高効率な電圧変換を可能としたスイッチング電源装置が提案されている（例えば、特許文献１参照）。
【先行技術文献】
【特許文献】
【００１５】
【特許文献１】特開２０１３−２５８８６０号公報
【非特許文献】
【００１６】
【非特許文献１】Ｆｅｎｇ  Ｌｉｎ，外１名，“Ｒｅｄｕｃｔｉｏｎ  ｏｆ  Ｐｏｗｅｒ  Ｓｕｐｐｌｙ  ＥＭＩ  Ｅｍｉｓｓｉｏｎ  ｂｙ  Ｓｗｉｔｃｈｉｎｇ  Ｆｒｅｑｕｅｎｃｙ  Ｍｏｄｕｌａｔｉｏｎ”，ＩＥＥＥ  ＴＲＡＮＳＡＣＴＩＯＮＳ  ＯＮ  ＰＯＷＥＲ  ＥＬＥＣＴＲＯＮＩＣＳ，ＶＯＬ．９，ＮＯ．Ｉ，ＪＡＮＵＡＲＹ  １９９４
【発明の概要】
【発明が解決しようとする課題】
【００１７】
しかしながら、従来技術には、以下のような課題がある。
すなわち、特許文献１のスイッチング電源装置では、定常動作時の動作方法についてのみが記載されており、実際に温度変化や経年劣化により直列共振周波数が変化した場合におけるサージの発生や損失の増加、急激な負荷変動が発生したときの対応、保護動作については考慮されていないので、回路素子の破壊を招く恐れがあるという問題がある。
【００１８】
また、一般的に、一定のスイッチング周波数でスイッチング制御を行う場合には、一定の周波数に起因した高いスイッチングノイズが発生することがあり、そのときには、ノイズ発生源として、他の電子機器に対し、誤動作や機能停止等といった弊害を招く恐れがある。また、特許文献１は、コンバータが２段構成なので、１段構成のコンバータと比べ、スイッチングに起因するノイズが増加し、フィルタ回路の大型化を招くという問題もある。
【００１９】
この発明は、上記のような課題を解決するためになされたものであり、コンバータを２段構成とした直流変換装置を実際に適用した際に生ずる問題に対して、特別な回路を用いることなく、各コンバータの半導体スイッチング素子を制御することで、安定した出力の供給、ＥＭＣノイズの低減、保護動作を行うことができる直流変換装置の制御方法を得ることを目的とする。
【課題を解決するための手段】
【００２０】
この発明に係る直流変換装置の制御方法は、入力電圧を昇圧して直流電圧を出力する昇圧コンバータと、昇圧コンバータから出力された直流電圧を降圧して直流電圧を出力する絶縁型共振コンバータと、昇圧コンバータは、昇圧リアクトル、ダイオードおよびコンデンサと、昇圧リアクトルへの通電を制御する第１スイッチング素子と、を有し、絶縁型共振コンバータは、１次巻線および２次巻線を有するトランスと、トランスの１次側に接続された共振コンデンサおよび共振リアクトルと、共振コンデンサおよび共振リアクトルへの通電を制御する、互いに直列に接続された第２スイッチング素子および第３スイッチング素子と、トランスの２次側に接続された整流回路と、を有する直流変換装置の制御方法であって、第２スイッチング素子および第３スイッチング素子を、デッドタイムを挟んで、固定オンデューティ比で交互にオンオフ制御する制御ステップを有し、制御ステップは、絶縁型共振コンバータの出力電流があらかじめ定められた値を超えた場合に、昇圧コンバータから出力される直流電圧を低下させるステップを含むものである。
【発明の効果】
【００２１】
この発明に係る直流変換装置の制御方法によれば、絶縁型共振コンバータが、１次巻線および２次巻線を有するトランスと、トランスの１次側に接続された共振コンデンサおよび共振リアクトルと、共振コンデンサおよび共振リアクトルへの通電を制御する、互いに直列に接続された第２スイッチング素子および第３スイッチング素子と、トランスの２次側に接続された整流回路と、を有する直流変換装置において、制御ステップは、第２スイッチング素子および第３スイッチング素子を、デッドタイムを挟んで、固定オンデューティ比で交互にオンオフ制御する。
そのため、コンバータを２段構成とした直流変換装置を実際に適用した際に生ずる問題に対して、特別な回路を用いることなく、各コンバータの半導体スイッチング素子を制御することで、安定した出力の供給、ＥＭＣノイズの低減、保護動作を行うことができる。
【図面の簡単な説明】
【００２２】
【図１】この発明の実施の形態１に係る直流変換装置を示す概略構成図である。
【図２】この発明の実施の形態１に係る直流変換装置において、制御部が昇圧コンバータ回路の半導体スイッチング素子をオンオフさせたときの電流経路を示す説明図である。
【図３】この発明の実施の形態１に係る直流変換装置において、共振コンバータ回路のスイッチング周波数とゲインとの関係を示す説明図である。
【図４】この発明の実施の形態１に係る直流変換装置において、共振コンバータ回路の動作時における各電圧電流波形を示す説明図である。
【図５】（ａ）〜（ｄ）は、この発明の実施の形態１に係る直流変換装置において、共振コンバータ回路の半導体スイッチング素子がオンオフしているときの電流経路を、図４の各時刻と対応して示す説明図である。
【図６】この発明の実施の形態１に係る直流変換装置において、共振コンバータ回路の半導体スイッチング素子のスイッチング周波数を直列共振回路の直列共振周波数よりも十分に低くした場合の各電圧電流波形を示す説明図である。
【図７】この発明の実施の形態１に係る直流変換装置において、共振コンバータ回路の半導体スイッチング素子のスイッチング周波数を直列共振回路の直列共振周波数よりも十分に高くした場合の各電圧電流波形を示す説明図である。
【図８】この発明の実施の形態１に係る直流変換装置の変形例を示す概略構成図である。
【図９】この発明の実施の形態１に係る直流変換装置の変形例を示す概略構成図である。
【図１０】（ａ）、（ｂ）は、この発明の実施の形態１に係る直流変換装置において、制御部が昇圧コンバータ回路および共振コンバータ回路の半導体スイッチング素子をオンオフさせたときの電流経路を示す説明図である。
【図１１】この発明の実施の形態３に係る直流変換装置を示す概略構成図である。
【図１２】この発明の実施の形態３に係る直流変換装置において、共振コンバータ回路の動作時における各電圧電流波形を示す説明図である。
【図１３】この発明の実施の形態３に係る直流変換装置の変形例を示す概略構成図である。
【図１４】この発明の実施の形態４に係る直流変換装置を示す概略構成図である。
【図１５】この発明の実施の形態４に係る直流変換装置において、経年変化による劣化や温度変化により、直列共振周波数が変化した場合の各電圧電流波形を示す説明図である。
【図１６】この発明の実施の形態４に係る直流変換装置において、共振コンバータ回路の動作時における各電圧電流波形を示す説明図である。
【図１７】この発明の実施の形態６に係る直流変換装置におけるノイズスペクトルの拡散方法を示す説明図である。
【図１８】（ａ）〜（ｃ）は、この発明の実施の形態６に係る直流変換装置において、スペクトル拡散指数の変化によるスペクトル拡散効果を示す説明図である。
【図１９】この発明の実施の形態６に係る直流変換装置におけるノイズスペクトルの拡散方法の別の例を示す説明図である。
【図２０】（ａ）、（ｂ）は、この発明の実施の形態６に係る直流変換装置において、共振コンバータ回路のスイッチング周波数の変動（ゲインの変動）に伴い、昇圧コンバータ回路の出力電圧を制御することを示す説明図である。
【発明を実施するための形態】
【００２３】
以下、この発明に係る直流変換装置の制御方法の好適な実施の形態につき図面を用いて説明するが、各図において同一、または相当する部分については、同一符号を付して説明する。
【００２４】
実施の形態１．
図１は、この発明の実施の形態１に係る直流変換装置を示す概略構成図である。図１において、この直流変換装置は、絶縁型のＬＬＣ共振コンバータである共振コンバータ回路１４の前段に昇圧コンバータ回路１３を設けた２段構成のコンバータである。昇圧コンバータ回路１３および共振コンバータ回路１４の動作は、制御部１２によって制御される。
【００２５】
この直流変換装置は、入力電圧Ｖｉを昇圧コンバータ回路１３によって任意の直流電圧に昇圧し、共振コンバータ回路１４から出力電圧Ｖｏを出力する。ここで、この直流変換装置が電気自動車やハイブリッド自動車に適用された場合には、入力側に駆動用電池が接続され、出力側に補機用電池が接続される。
【００２６】
昇圧コンバータ回路１３は、昇圧リアクトル１、ダイオード２、第１スイッチング素子である半導体スイッチング素子３および平滑コンデンサ４から構成されている。昇圧コンバータ回路１３において、ダイオード２のアノード端子は昇圧リアクトル１に接続され、ダイオード２のカソード端子は、昇圧コンバータ回路１３の出力部である平滑コンデンサ４に接続されている。
【００２７】
また、昇圧コンバータ回路１３において、半導体スイッチング素子３は、ドレイン端子が昇圧リアクトル１とダイオード２との接続点に接続され、ソース端子が入力電圧Ｖｉの負側と平滑コンデンサ４の負極側との接続点に接続されている。ここで、制御部１２は、半導体スイッチング素子３をオンオフ制御し、平滑コンデンサ４の電圧を任意の値に調整する。
【００２８】
共振コンバータ回路１４は、昇圧コンバータ回路１３の後段に接続されている。また、共振コンバータ回路１４は、それぞれ第２スイッチング素子および第３スイッチング素子である半導体スイッチング素子５、６、共振コンデンサ７、並びに共振リアクトル８を、１次巻線および２次巻線を有するトランス９の１次側に備え、整流回路であるダイオード１０、１１をトランス９の２次側に備えている。
【００２９】
共振コンバータ回路１４において、半導体スイッチング素子５のドレイン端子は平滑コンデンサ４の正極側に接続され、半導体スイッチング素子６のソース端子は平滑コンデンサ４の負極側に接続されている。また、半導体スイッチング素子５のソース端子と半導体スイッチング素子６のドレイン端子とは、互いに接続されている。
【００３０】
また、共振コンバータ回路１４において、共振コンデンサ７、共振リアクトル８およびトランス９は、半導体スイッチング素子５のソース端子と半導体スイッチング素子６のドレイン端子との接続点と、半導体スイッチング素子６のソース端子との間に直列に接続されている。
【００３１】
なお、図１の直流変換装置では、半導体スイッチング素子５のソース端子と半導体スイッチング素子６のドレイン端子との接続点から順に共振コンデンサ７、共振リアクトル８、トランス９の順に接続されているが、これに限定されず、共振コンデンサ７は、トランス９と半導体スイッチング素子６のソース端子との間に接続されてもよい。
【００３２】
また、共振コンバータ回路１４において、トランス９の２次巻線は中間タップを有し、中間タップが出力電圧Ｖｏの負側に接続されている。また、トランス９の２次巻線の両端には、それぞれダイオード１０、１１のアノード端子が接続されている。また、ダイオード１０のカソード端子とダイオード１１のカソード端子とは、互いに接続されており、この接続点が出力電圧Ｖｏの正側に接続されている。
【００３３】
また、入力電圧Ｖｉの電圧値を検出するために、入力電圧Ｖｉと並列に入力電圧検出回路２１が接続され、昇圧コンバータ回路１３の出力電圧値を検出するために、平滑コンデンサ４と並列に平滑コンデンサ電圧検出回路２２が接続され、出力電圧Ｖｏの電圧値を検出するために、出力電圧Ｖｏと並列に出力電圧検出回路２３が接続されている。また、共振コンバータ回路１４の出力部の電流を検出するために、出力電流検出回路２４が設けられている。
【００３４】
ここで、制御部１２は、制御線３０ａ、３０ｂ、３０ｃにより、半導体スイッチング素子３、５、６をそれぞれオンオフ制御するとともに、信号線３１ａ、３１ｂ、３１ｃ、３１ｄにより、それぞれ入力電圧検出回路２１、平滑コンデンサ電圧検出回路２２、出力電圧検出回路２３、出力電流検出回路２４からの電圧、電流検出値をそれぞれ取得する。
【００３５】
以下、この発明の実施の形態１に係る直流変換装置の昇圧コンバータ回路１３の動作原理について説明する。図２は、この発明の実施の形態１に係る直流変換装置において、制御部１２が昇圧コンバータ回路１３の半導体スイッチング素子３をオンオフさせたときの電流経路を示す説明図である。
【００３６】
図２において、制御部１２は、昇圧コンバータ回路１３の半導体スイッチング素子３をオンオフさせることにより、昇圧コンバータ回路１３の出力電圧を制御し、共振コンバータ回路１４の出力電圧Ｖｏが目標値に近づくように調整する。
【００３７】
次に、この発明の実施の形態１に係る直流変換装置の共振コンバータ回路１４の動作原理について説明する。制御部１２は、共振コンバータ回路１４の半導体スイッチング素子５、６をそれぞれオンオフ制御する。
【００３８】
具体的には、半導体スイッチング素子５、６は、デッドタイムを挟んでほぼ５０％のデューティ比で、かつ共振コンデンサ７と共振リアクトル８とで構成される直列共振回路の直列共振周波数ｆｓｒの半周期にデッドタイムを加えた時間を半周期とするスイッチング周波数ｆｓｗで交互にオンされる。
【００３９】
ここで、周波数とゲインとの関係について説明する。ＬＬＣ共振コンバータである共振コンバータ回路１４は、スイッチング周波数を制御し、直列共振回路のインピーダンスを調整することで、トランス９に印加される電圧を決定する。ここで、ゲインとは、ＬＬＣ共振コンバータである共振コンバータ回路１４の入出力電圧比のことである。
【００４０】
また、トランス９の励磁インダクタンスＬｍと共振リアクトル８のインダクタンスＬｒとによって決まるインダクタンス比Ｌｎ（＝Ｌｍ／Ｌｒ）によって、同じ負荷状態におけるゲインの値が変わる。図３は、この発明の実施の形態１に係る直流変換装置において、共振コンバータ回路１４のスイッチング周波数とゲインとの関係を示す説明図である。図３において、Ｌｎ比が大きくなるほどゲインが変化しにくいことが分かる。
【００４１】
通常、ＬＬＣ共振コンバータは、スイッチング周波数を制御してゲインを調整するので、例えば、共振コンデンサ７の選定においては、周波数毎に変化するｔａｎδが高周波で悪化することに伴う発熱を考慮して、大型化するという問題があった。これに対して、この発明の実施の形態１に係る直流変換装置の制御部１２は、ＬＬＣ共振コンバータのスイッチング周波数を固定とし、昇圧コンバータ回路１３の出力を制御して出力電圧Ｖｏを調整することで、共振コンデンサ７のリプル電流耐量を一意に決めることができ、この問題を解決することができる。
【００４２】
また、スイッチング周波数が固定されていることから、負荷状況によっては出力電圧Ｖｏが変化するが、制御部１２が昇圧コンバータ回路１３の出力電圧を調整することにより、出力電圧Ｖｏが目標値に近づくように制御する。すなわち、制御部１２は、信号線３１ｃを介して取得した出力電圧検出回路２３の電圧値が目標値に近づくように、昇圧コンバータ回路１３の電圧を調整する。
【００４３】
以下、昇圧コンバータ回路１３の出力電圧の制御方法について説明する。まず、昇圧コンバータ回路１３の出力部の平滑コンデンサ４の電圧をＶｃ、トランス９の巻数比をＮ：１：１とすると、次式（１）が成り立つ。
【００４４】
【数１】
0005893089.tif 000002
【００４５】
式（１）において、出力電圧Ｖｏの目標値をＶｏ＊とすると、昇圧コンバータ回路１３の出力部の平滑コンデンサ４の電圧の制御目標値Ｖｃ＊は、次式（２）のようになる。
【００４６】
【数２】
0005893089.tif 000003
【００４７】
以上から、昇圧コンバータ回路１３の出力部の平滑コンデンサ４の電圧Ｖｃを、式（２）で求めた制御目標値Ｖｃ＊に近づくように制御する。ここで、平滑コンデンサ電圧検出回路２２によって取得した電圧値をＶｃ＿ｍｏｎとすると、平滑コンデンサ４の電圧Ｖｃの制御目標値までの差分ΔＶｃは、次式（３）で表される。
【００４８】
【数３】
0005893089.tif 000004
【００４９】
また、平滑コンデンサ４の容量をＣとすると、電圧ΔＶｃを増加または低下させるために必要な平滑コンデンサ４の充電電流値ΔＩｃは、オームの法則から次式（４）で表わされる。
【００５０】
【数４】
0005893089.tif 000005
【００５１】
以上から、昇圧リアクトル１に必要な電流値ΔＩＬは、電力の関係から、次式（５）で表される。
【００５２】
【数５】
0005893089.tif 000006
【００５３】
ここで、インダクタンスの関係式である次式（６）より、昇圧リアクトル１にかかる電圧ＶＬを求めることができる。この電圧ＶＬは、誘導起電力に相当する。なお、式（６）において、ＶＬは誘導起電力を示し、ＩＬは電流を示し、Ｌはインダクタンスを示している。
【００５４】
【数６】
0005893089.tif 000007
【００５５】
次に、図２に示した各電流経路における電圧の関係式は、次式（７）で表すことができる。式（７）において、ｄｕｔｙは、スイッチングのデューティ比（０〜１）を示している。
【００５６】
【数７】
0005893089.tif 000008
【００５７】
また、昇圧コンバータ回路１３は、半導体スイッチング素子３の前段にかかる電圧（＝Ｖｉ−ＶＬ）をＶｃへ昇圧するよう動作するので、スイッチングのオフデューティをｄｕｔｙ（ＯＦＦ）（＝１−ｄｕｔｙ）とすると、このときの昇圧比は、次式（８）により求められる。
【００５８】
【数８】
0005893089.tif 000009
【００５９】
すなわち、式（３）からスイッチング素子３をスイッチング動作させる際のオフデューティｄｕｔｙ（ＯＦＦ）を決定することにより、次式（９）で表されるように、オンデューティｄｕｔｙを演算することができる。このオンデューティｄｕｔｙで操作することで、昇圧リアクトル電流を制御する。
【００６０】
【数９】
0005893089.tif 000010
【００６１】
以上から、制御部１２は、出力電圧Ｖｏが目標値Ｖｏ＊に追従するように、半導体スイッチング素子３のデューティを制御し、平滑コンデンサ４の電圧とほぼ等しい昇圧コンバータ回路１３の出力電圧を調整する。
【００６２】
上述した内容が、昇圧コンバータ回路１３の出力電圧の制御方法である。実際には、共振コンバータ回路１４の各回路素子の電圧降下や各電圧検出回路２１〜２３のセンサ誤差等により、昇圧コンバータ回路１３の出力電圧を制御しても、共振コンバータ回路１４の出力電圧Ｖｏが目標値Ｖｏ＊よりも低くなるか、または高くなる場合がある。
【００６３】
このときは、出力電圧Ｖｏの目標値をＶｏ＊、出力電圧検出回路２３によって取得した電圧値をＶｏ＿ｍｏｎとすると、次式（１０）によって決まる出力電圧Ｖｏの目標値までの差分ΔＶｏに対して、比例ゲインや積分ゲインを加えたものを、昇圧コンバータ回路１３の制御目標値Ｖｃ＊に加えることで、最終的に共振コンバータ回路１４の出力電圧Ｖｏが目標値Ｖｏ＊となるように制御する。これにより、共振コンバータ回路１４の出力側の負荷状況によらず、安定した電圧Ｖｏを出力することができる。
【００６４】
【数１０】
0005893089.tif 000011
【００６５】
次に、共振コンバータ回路１４の基本的な動作について、波形を用いて説明する。図４は、この発明の実施の形態１に係る直流変換装置において、共振コンバータ回路１４の動作時における各電圧電流波形を示す説明図である。
【００６６】
図４において、横軸は時間軸を示している。また、図４の縦軸は、半導体スイッチング素子５、６のゲート・ソース間に印加されるゲート電圧Ｖｇｓ５、Ｖｇｓ６、半導体スイッチング素子５、６のドレイン・ソース間に印加される電圧Ｖｄｓ５、Ｖｄｓ６、トランス９の１次側に印加される電圧Ｖｔｒ１、共振コンデンサ７や共振リアクトル８に流れる電流（以下、「共振電流」と称する）ＩＬｒ、トランス９の励磁インダクタンスＬｍに流れる励磁電流ＩＬｍ、およびトランス２次側の整流用ダイオード１０、１１に流れる電流ＩＤ１０、ＩＤ１１の波形をそれぞれ示している。
【００６７】
また、図４において、時刻ｔ２、ｔ６は、半導体スイッチング素子５がターンオン、時刻ｔ３、ｔ７は、半導体スイッチング素子５がターンオフするタイミングを示している。また、時刻ｔ１、ｔ５は、半導体スイッチング素子６がターンオフ、時刻ｔ４、ｔ８は、半導体スイッチング素子６がターンオンするタイミングを示している。なお、半導体スイッチング素子５、６がそれぞれターンオフ、ターンオンする間には、デッドタイム（ｔｄ）が設けられている。また、１次側に流れる電流は、共振コンデンサ７からトランス９に流れる方向を正としている。
【００６８】
図５（ａ）〜（ｄ）は、この発明の実施の形態１に係る直流変換装置において、共振コンバータ回路１４の半導体スイッチング素子５、６がオンオフしているときの電流経路を、図４の各時刻と対応して示す説明図である。
【００６９】
図５（ａ）に示した時刻ｔ１〜ｔ２において、半導体スイッチング素子６がターンオフした直後は、共振電流ＩＬｒは、トランス９（共振リアクトル８を含む）→共振コンデンサ７→半導体スイッチング素子５のボディダイオードの経路で流れる。
【００７０】
また、図５（ｂ）に示した時刻ｔ２〜ｔ３において、半導体スイッチング素子５のボディダイオードには、直前まで電流が流れているので、ドレイン・ソース間電圧Ｖｄｓはゼロである。そのため、半導体スイッチング素子５は、ＺＶＳが成立する。なお、図中の実線は時刻ｔ２〜ｔ３のときの電流経路であり、点線は直前まで流れていた共振電流ＩＬｒの電流経路である。
【００７１】
また、図５（ｃ）に示した時刻ｔ３〜ｔ４において、半導体スイッチング素子５がターンオフした直後は、共振電流ＩＬｒは、共振コンデンサ７→トランス９（共振リアクトル８を含む）→半導体スイッチング素子６のボディダイオードの経路で流れる。
【００７２】
また、図５（ｄ）で示した時刻ｔ４〜ｔ５において、半導体スイッチング素子６のボディダイオードには、直前まで電流が流れているので、ドレイン・ソース間電圧Ｖｄｓはゼロである。そのため、半導体スイッチング素子６は、ＺＶＳが成立する。なお、図中の実線は時刻ｔ４〜ｔ５のときの電流経路であり、点線は直前まで流れていた共振電流ＩＬｒの電流経路である。
【００７３】
また、図５には示していないが、共振電流ＩＬｒと励磁電流ＩＬｍとの差分電流がトランス９の２次側に流れ、ＩＬｒ＞ＩＬｍの場合にダイオード１０に電流ＩＤ１０が流れ、ＩＬｍ＞ＩＬｒの場合にダイオード１１に電流ＩＤ１１が流れる。
【００７４】
この実施の形態１では、スイッチング周波数ｆｓｗと、共振コンデンサ７と共振リアクトル８とで構成される直列共振回路の直列共振周波数ｆｓｒにデッドタイムを加えた周波数とが等しくなるように制御している。一般的に、スイッチング周波数ｆｓｗと直列共振周波数ｆｓｒとが等しくなるように制御することが推奨されているが、実際には、デッドタイム分だけ先に半導体スイッチング素子がターンオフするので、ターンオフ損失が発生する。
【００７５】
そこで、この実施の形態１では、次式（１１）で表されるように、スイッチング周波数の半周期と、直列共振周波数の半周期にデッドタイムを加えた時間とが等しくなるように、スイッチング周波数を決定する。これは、後述するが、２次側整流回路が同期整流の場合に最も効果を発揮する。
【００７６】
【数１１】
0005893089.tif 000012
【００７７】
以下、対比のために、半導体スイッチング素子５、６のスイッチング周波数ｆｓｗを直列共振周波数ｆｓｒよりも十分に低くした場合の各電圧電流波形を図６に示し、半導体スイッチング素子５、６のスイッチング周波数ｆｓｗを直列共振周波数ｆｓｒよりも十分に高くした場合の各電圧電流波形を図７に示す。
【００７８】
以上が、制御部１２による昇圧コンバータ回路１３および共振コンバータ回路１４の制御方法である。この実施の形態１で説明した直流変換装置は、共振コンバータ回路１４がほぼ一定のゲインで出力できるように、昇圧コンバータ回路１３により、入力電圧Ｖｉをあらかじめ定められた電圧まで昇圧させる。そのため、一般的に、昇圧率が小さい場合ほど効率がよくなる。
【００７９】
また、高効率化のために、制御部１２は、入力電圧Ｖｉと昇圧コンバータ回路１３が出力する電圧とが近く、入力電圧Ｖｉがあらかじめ定められた電圧よりも高い場合には、半導体スイッチング素子３のスイッチングを停止、すなわち、昇圧コンバータ回路１３の昇圧動作を停止して、共振コンバータ回路１４のみを動作させる。これにより、余計なスイッチング損失を防ぐことができ、高効率化を実現することができる。
【００８０】
また、制御部１２は、入力電圧Ｖｉがあらかじめ定められた電圧よりも高く、昇圧コンバータ回路１３の出力電圧が制御目標値を超える場合には、昇圧コンバータ回路１３は降圧できないので、半導体スイッチング素子３のスイッチングを停止、すなわち、昇圧コンバータ回路１３の昇圧動作を停止する。
【００８１】
しかしながら、このままでは、共振コンバータ回路１４の出力電圧Ｖｏも入力電圧Ｖｉに合わせて上昇するので、共振コンバータ回路１４のゲインを下げる必要がある。そのため、制御部１２は、半導体スイッチング素子５、６のオンオフ間に設けられているデッドタイムを増加させるように制御する。デッドタイムを増加させることにより、同じ周期において、トランス９による電力伝送の時間を短縮させることができ、出力電圧Ｖｏが低下する。
【００８２】
ここまで、この実施の形態１における直流変換装置の基本的な動作について説明した。次に、動作中の負荷変動時における制御方法について説明する。動作中の負荷電流が過電流閾値に達した場合、直流変換装置は、垂下特性等の保護動作（フェールセーフ）を行う必要がある。
【００８３】
この実施の形態１では、出力電流検出回路２４で検出された共振コンバータ回路１４の出力部の電流値があらかじめ定められた値を超えた場合に、昇圧コンバータ回路１３の出力電圧を低下させる。これにより、共振コンバータ回路１４の出力電圧も低下する。
【００８４】
また、この実施の形態１における直流変換装置の保護動作としては、上述した方法の他に、共振コンバータ回路１４の出力電圧Ｖｏを低下させる手段として、出力電流検出回路２４で検出された共振コンバータ回路１４の出力部の電流値があらかじめ定められた値を超えた場合に、制御部１２が共振コンバータ回路１４のゲインを低下させてもよく、例えば、制御部１２が半導体スイッチング素子５、６のスイッチング周波数を増加させることで出力電圧Ｖｏを低下させてもよい。
【００８５】
また、共振コンバータ回路１４の出力電圧Ｖｏを低下させる手段として、制御部１２が、半導体スイッチング素子５、６のオンオフ間に設けられているデッドタイムを増加させることで、共振コンバータ回路１４の出力電圧Ｖｏを低下させてもよい。
【００８６】
以上のように、実施の形態１によれば、入力電圧を昇圧して直流電圧を出力する昇圧コンバータと、昇圧コンバータから出力された直流電圧を降圧して直流電圧を出力する絶縁型共振コンバータと、昇圧コンバータは、昇圧リアクトル、ダイオードおよびコンデンサと、昇圧リアクトルへの通電を制御する第１スイッチング素子と、を有し、絶縁型共振コンバータは、１次巻線および２次巻線を有するトランスと、トランスの１次側に接続された共振コンデンサおよび共振リアクトルと、共振コンデンサおよび共振リアクトルへの通電を制御する、互いに直列に接続された第２スイッチング素子および第３スイッチング素子と、トランスの２次側に接続された整流回路と、を有する直流変換装置の制御方法であって、第２スイッチング素子および第３スイッチング素子を、デッドタイムを挟んで、固定オンデューティ比で交互にオンオフ制御する制御ステップを有するものである。
【００８７】
この発明に係る直流変換装置の制御方法によれば、絶縁型共振コンバータが、１次巻線および２次巻線を有するトランスと、トランスの１次側に接続された共振コンデンサおよび共振リアクトルと、共振コンデンサおよび共振リアクトルへの通電を制御する、互いに直列に接続された第２スイッチング素子および第３スイッチング素子と、トランスの２次側に接続された整流回路と、を有する直流変換装置において、制御ステップは、第２スイッチング素子および第３スイッチング素子を、デッドタイムを挟んで、固定オンデューティ比で交互にオンオフ制御する。
そのため、コンバータを２段構成とした直流変換装置を実際に適用した際に生ずる問題に対して、特別な回路を用いることなく、各コンバータの半導体スイッチング素子を制御することで、安定した出力の供給、ＥＭＣノイズの低減、保護動作を行うことができる。
【００８８】
すなわち、ＬＬＣ共振コンバータの特徴を活かすために、ＬＬＣ共振コンバータの前段に昇圧コンバータを備えた回路構成とし、前段の昇圧コンバータをスイッチング制御することで、後段のコンバータへの入力電圧変動を制御できるので、入力電圧の範囲を大きく設定しても、ＬＬＣ共振コンバータは、ゲイン一定で動作することができ、定常時での高効率な電圧変換を実現することができる。
【００８９】
また、実際に適用した際に発生する急激な負荷変動に対する保護動作や温度変化や経年変化によって素子の特性が変わった場合においても、安定した電圧を出力することができ、かつ、他の電子機器の誤動作や機能停止等といった弊害を招く恐れがあるスイッチングに起因するノイズにおいても、低減することができる。
【００９０】
なお、上記実施の形態１では、図１に示したように、トランス９の２次巻線の中間タップが出力電圧Ｖｏの負側に接続され、トランス９の２次巻線の両側には、それぞれダイオード１０、１１のアノード端子が接続されていた。しかしながら、これに限定されず、図８に示されるように、中間タップが出力電圧Ｖｏの正側に接続され、トランス９の２次巻線の両端に、それぞれダイオード１０、１１のカソード端子が接続されていてもよい。
【００９１】
また、上記実施の形態１では、共振コンバータ回路１２の出力電流を取得するために、出力電流検出回路２４をトランス９の２次側に接続させていた。しかしながら、これに限定されず、例えば、図９に示されるように、トランス９の１次側（共振コンバータ回路１４の入力側）に出力電流検出回路２４を配置して、出力電流を推定してもよい。この場合には、上記実施の形態１と同様の効果を得ることができるだけでなく、電流センサに流れる電流が少ないので、小型のものを使用でき、半導体スイッチング素子５、６のショート故障についても検出することができる。
【００９２】
実施の形態２．
この発明の実施の形態２に係る直流変換装置は、上記実施の形態１で説明した直流変換装置と同じ回路構成を有している。この実施の形態２では、制御部１２が半導体スイッチング素子３と半導体スイッチング素子６とのオンまたはオフタイミングを同期させることで、平滑コンデンサ４に流れる電流量を減らすことができる。
【００９３】
図１０（ａ）、（ｂ）は、この発明の実施の形態２に係る直流変換装置において、制御部が昇圧コンバータ回路および共振コンバータ回路の半導体スイッチング素子をオンオフさせたときの電流経路を示す説明図である。図１０（ａ）、（ｂ）では、半導体スイッチング素子３と半導体スイッチング素子６とのスイッチングタイミングが完全に同期している。
【００９４】
図１０（ａ）に示したように、半導体スイッチング素子３と半導体スイッチング素子６とがオンしている場合には、昇圧コンバータ回路１３において、入力電圧Ｖｉによる入力電流は、昇圧リアクトル１→半導体スイッチング素子３の経路で流れる。また、共振コンバータ回路１４の共振電流は、半導体スイッチング素子６→トランス９（共振リアクトル８を含む）→共振コンデンサ７の経路で流れる。このとき、平滑コンデンサ４には、電流が流れない。
【００９５】
一方、図１０（ｂ）に示したように、半導体スイッチング素子３と半導体スイッチング素子６とがターンオフし、半導体スイッチング素子６と対となる半導体スイッチング素子５がオンしている場合には、入力電流は、昇圧リアクトル１→ダイオード２の経路で流れ、平滑コンデンサ４に向かう。また、共振電流は、平滑コンデンサ４から、半導体スイッチング素子５→共振コンデンサ７→トランス９（共振リアクトル８を含む）の経路で流れる。このとき、入力電流と共振電流とが等しければ、図１０（ｂ）に示されるように、平滑コンデンサ４には、電流が流れないか、または流れにくくなる。
【００９６】
これにより、平滑コンデンサ４のリプル電流を低減することができる。すなわち、制御部１２が、半導体スイッチング素子３と半導体スイッチング素子６とのオンオフのタイミングを同期させて制御することで、平滑コンデンサ４のリプル電流を低減できる。そのため、直流変換装置の小型化および長寿命化を実現することができる。
【００９７】
実施の形態３．
図１１は、この発明の実施の形態３に係る直流変換装置を示す概略構成図である。図１１において、この直流変換装置は、昇圧コンバータ回路１３と共振コンバータ回路１４とを備え、昇圧コンバータ回路１３は、上記実施の形態１と同じ回路構成である。一方、共振コンバータ回路１４のトランス９の２次側整流回路は、半導体スイッチング素子１０、１１を用いた同期整流の回路構成を有している。
【００９８】
これにより、軽負荷動作時における直流変換装置の変換効率を高めることができる。これは、ダイオード整流回路では、ダイオードに流れる電流が小さくてもＶｆ分の損失が発生している（Ｗ＝Ｖｆ×Ｉｏ）のに対して、同期整流回路では、ＭＯＳＦＥＴの損失が電流の２乗に比例するので（Ｗ＝Ｒｏｎ×Ｉｏ２）、導通損失を抑制することができるためである。
【００９９】
次に、この実施の形態３における共振コンバータ回路１４の基本的な動作について、波形を用いて説明する。図１２は、この発明の実施の形態３に係る直流変換装置において、共振コンバータ回路１４の動作時における各電圧電流波形を示す説明図である。
【０１００】
図１２において、縦軸は、半導体スイッチング素子５、６のゲート・ソース間に印加されるゲート電圧Ｖｇｓ５、Ｖｇｓ６、半導体スイッチング素子５、６のドレイン・ソース間に印加される電圧Ｖｄｓ５、Ｖｄｓ６、トランス９の１次側に印加される電圧Ｖｔｒ１、共振コンデンサ７や共振リアクトル８に流れる共振電流ＩＬｒ、トランス９の励磁インダクタンスＬｍに流れる励磁電流ＩＬｍ、半導体スイッチング素子１０、１１のゲート・ソース間に印加されるゲート電圧Ｖｇｓ１０、Ｖｇｓ１１、および半導体スイッチング素子１０、１１に流れる電流ＩＤ１０、ＩＤ１１の波形をそれぞれ示している。なお、１次側に流れる電流は、共振コンデンサ７からトランス９に流れる方向を正としている。
【０１０１】
ここで、制御部１２は、半導体スイッチング素子５と半導体スイッチング素子１０とのオンオフ制御の同期をとっており、半導体スイッチング素子６と半導体スイッチング素子１１とのオンオフ制御の同期をとっている。また、この実施の形態３では、上述したように、スイッチング周波数ｆｓｗの半周期（Ｔｓｗ／２）と、共振コンデンサ７と共振リアクトル８とで構成される直列共振回路の直列共振周波数ｆｓｒの半周期（Ｔｓｒ／２）にデッドタイムを加えた時間とが等しくなるように制御している。
【０１０２】
一般的に、スイッチング周波数ｆｓｗと直列共振周波数ｆｓｒとが等しくなるように制御することが推奨されているが、実際には、デッドタイム分だけ先に半導体スイッチング素子がターンオフするので、ターンオフ損失が発生する。これは、効率が悪化する原因となる。
【０１０３】
そこで、この実施の形態３の共振コンバータ回路１４では、制御部１２がデットタイムを考慮したスイッチング周波数とすることにより、２次側整流回路の半導体スイッチング素子１０、１１をほぼ０Ａでターンオフすることができ、ターンオフ損失を低減できるだけでなく、ターンオフ時に発生するサージを抑制できるので、サージ抑制スナバ回路を削減することができる。
【０１０４】
また、図１２に示されるように、導体スイッチング素子１０、１１のボディダイオードには、直前まで電流が流れているので、ドレイン・ソース間電圧Ｖｄｓはゼロである。そのため、半導体スイッチング素子１０、１１は、ＺＶＳが成立する。
【０１０５】
次に、この実施の形態３における直流変換装置において、負荷電圧が増加した場合の制御部１２の保護動作について説明する。この実施の形態３における直流変換装置では、共振コンバータ回路１４が同期整流の回路構成を有している。そのため、出力電圧Ｖｏの電圧が増加した場合に、半導体スイッチング素子１０、１１のスイッチングよってトランス９の１次側に発生する電圧が昇圧コンバータ回路１３の出力電圧より大きくなるので、出力側から入力側に電流が流れる逆流現象が発生する。
【０１０６】
そこで、この逆流現象を防止するために、制御部１２は、負荷電圧が増加した場合、すなわち、共振コンバータ回路１４の出力電圧があらかじめ定められた値を超えた場合に、昇圧コンバータ回路１３の出力電力が増加するように制御する。これにより、出力電圧Ｖｏ側から入力電圧Ｖｉ側に電流が逆流することを防止することができる。
【０１０７】
なお、上記実施の形態３では、図１１に示したように、トランス９の２次巻線の中間タップが出力電圧Ｖｏの負側に接続され、トランス９の２次巻線の両端には、それぞれ半導体スイッチング素子（ＭＯＳＦＥＴ）のソース端子が接続されていた。しかしながら、これに限定されず、図１３に示されるように、中間タップが出力電圧Ｖｏの正側に接続され、トランス９の２次巻線の両端に、それぞれ半導体スイッチング素子（ＭＯＳＦＥＴ）のドレイン端子が接続されていてもよい。
【０１０８】
実施の形態４．
図１４は、この発明の実施の形態４に係る直流変換装置を示す概略構成図である。図１４において、この直流変換装置は、図１１に示した直流変換装置に加えて、トランス９の２次巻線に流れる電流値を取得する出力電流検出回路２４を有している。
【０１０９】
上記実施の形態１〜３に示した制御方法により、入力電圧範囲が広い場合であっても、安定した電圧を高効率で出力することができる。しかしながら、経年変化による劣化や温度変化により、共振コンデンサ７の容量や共振リアクトル８のインダクタンスが変化し、直列共振周波数ｆｓｒは変化する。
【０１１０】
そのため、図１２に示した動作波形は、図１５のように変化する。図１５は、この発明の実施の形態４に係る直流変換装置において、経年変化による劣化や温度変化により、直列共振周波数が変化した場合の各電圧電流波形を示す説明図であり、半導体スイッチング素子１０、１１のゲート・ソース間に印加されるゲート電圧Ｖｇｓ１０、Ｖｇｓ１１、および半導体スイッチング素子１０、１１に流れる電流ＩＤ１０、ＩＤ１１の波形を示している。
【０１１１】
図１５は、例えば共振コンデンサ７の容量の低下、共振リアクトル８のインダクタンスの低下、またはその両方により、直列共振周波数ｆｓｒが増加した場合を示している。図１５のＩＤ１０、ＩＤ１１より、同期整流においては、直列共振周波数ｆｓｒが増加すると、共振電流が反転、すなわちドレインからソースに流れることが分かる。これにより、ターンオフ時では、スイッチング損失が発生するだけでなく、サージが増大する。
【０１１２】
そこで、この実施の形態４では、制御部１２が、半導体スイッチング素子１０、１１のオンオフタイミングを半導体スイッチング素子５、６のオンオフタイミングとそれぞれ同期させるだけでなく、出力電流検出回路２４で検出された電流値が０Ａをクロスした瞬間に、半導体スイッチング素子１０または半導体スイッチング素子１１をターンオフするように制御する。
【０１１３】
これにより、半導体スイッチング素子１０、１１は、０Ａでターンオフできるので、スイッチング損失が発生せず、サージも抑制することができる。図１５に示した動作波形に対して、上述した制御を適用した場合の動作波形を図１６に示す。図１６は、この発明の実施の形態４に係る直流変換装置において、共振コンバータ回路の動作時における各電圧電流波形を示す説明図である。
【０１１４】
図１６において、実線は、この実施の形態４において、制御部１２が、出力電流検出回路２４で検出された電流値が０Ａをクロスしたタイミングで、半導体スイッチング素子１０、１１をターンオフした場合の動作波形を示している。一方、図１６において、点線は、図１５に示した動作波形である。
【０１１５】
なお、上記実施の形態４では、出力電流検出回路２４の電流値をモニタして、制御部１２が半導体スイッチング素子１０、１１をターンオフすると説明した。しかしながら、これに限定されず、例えばコンパレータを用いて、出力電流検出回路２４の電流値が正→負に変換された瞬間に、半導体スイッチング素子１０、１１をターンオフするようにハードウェアで制御してもよい。
【０１１６】
また、上記実施の形態４では、半導体スイッチング素子１０、１１に流れる電流をモニタするために、出力電流検出回路２４である電流センサをトランス９の２次側に配置した。しかしながら、これに限定されず、例えばトランス９の１次側に電流センサを配置し、トランス１次側に流れる共振電流から、トランス９の２次側電流を推定してもよい。
【０１１７】
また、上記実施の形態４では、図１４に示したように、トランス９の２次巻線の中間タップが出力電圧Ｖｏの負側に接続され、トランス９の２次巻線の両端には、それぞれ半導体スイッチング素子（ＭＯＳＦＥＴ）のソース端子が接続されていた。しかしながら、これに限定されず、例えば、中間タップが出力電圧Ｖｏの正側に接続され、トランス９の２次巻線の両端に、それぞれ半導体スイッチング素子（ＭＯＳＦＥＴ）のドレイン端子が接続されていてもよい。
【０１１８】
また、上記実施の形態４では、トランス９の２次巻線の中間タップの位置に出力電流検出回路２４を設けた。しかしながら、これに限定されず、半導体スイッチング素子１０、１１と直列に、それぞれ電流センサを設けてもよい。
【０１１９】
また、上記実施の形態４では、トランス９が１個で構成されていた。しかしながら、これに限定されず、上述した実施の形態４のように、複数個のトランス９を用いてもよく、電力に応じて適切なサイズや冷却能力を実現することができる。
【０１２０】
実施の形態５．
この発明の実施の形態５に係る直流変換装置は、上記実施の形態４で説明した直流変換装置と同じ回路構成を有している。この実施の形態５では、上記実施の形態４と同様に、経年変化による劣化や温度変化により、共振コンデンサ７の容量や共振リアクトル８のインダクタンスが変化し、直列共振周波数ｆｓｒが変化した場合に、半導体スイッチング素子１０、１１のターンオフ時に発生するスイッチング損失の発生およびサージの増大に対する課題を対象とする。
【０１２１】
上記実施の形態４では、出力電流検出回路２４で検出された電流値が０Ａをクロスした瞬間に、半導体スイッチング素子１０、１１がターンオフするように制御したが、この実施の形態５では、共振コンバータ回路１４の半導体スイッチング素子１０、１１のスイッチング周波数を増減することで、半導体スイッチング素子１０、１１が０Ａ付近でターンオフするように制御する。
【０１２２】
ここで、直列共振周波数ｆｓｒが変化することによって、直流変換装置の動作波形は、図１５に示されたように変化する。制御部１２は、半導体スイッチング素子１０、１１がターンオフするタイミングで出力電流検出回路２４の値を取得する。このとき、制御部１２は、取得された電流値が０Ａからあらかじめ定められた範囲を逸脱している場合に、スイッチング周波数を増減させる。
【０１２３】
例えば、図１５に示された電流波形の場合には、制御部１２は、スイッチング周波数を増加させる。これにより、スイッチング周波数ｆｓｗが直列共振周波数ｆｓｒに近づくので、０Ａ付近で半導体スイッチング素子１０、１１をターンオフすることができる。また、反対に、半導体スイッチング素子１０、１１の電流が０Ａに達する前にターンオフした場合には、制御部１２は、スイッチング周波数を低下させる。これにより、上記実施の形態５と同様の効果を得ることができる。
【０１２４】
なお、上記実施の形態５では、半導体スイッチング素子１０、１１のスイッチング損失を低減させ、サージを抑制するために、出力電流検出回路２４を設け、スイッチング周波数を増減させることにより、半導体スイッチング素子１０、１１が０Ａ付近でオフするような回路とした。
【０１２５】
しかしながら、これに限定されず、例えば、直流変換装置が内部に図示しない温度センサを備え、制御部１２が、温度変化によって変化する直列共振周波数ｆｓｒの値を関数として記憶しておき、温度センサのモニタ値によって、スイッチング周波数ｆｓｗを変化させてもよい。
【０１２６】
実施の形態６．
一般的に、一定のスイッチング周波数でスイッチング制御を行う場合には、一定の周波数に起因した高いスイッチングノイズが発生することがあり、そのときには、ノイズ発生源として、他の電子機器に対し、誤動作や機能停止等といった弊害を招く恐れがある。
【０１２７】
上記各実施の形態１〜５で示した直流変換装置では、コンバータを２段構成としているので、一般的に、昇圧コンバータ回路１３および共振コンバータ回路１４のスイッチングに起因するノイズについて、１段構成のコンバータ回路と比べて、より考慮する必要がある。
【０１２８】
実際に、こういったスイッチングノイズについて、特に各国の規格に一定の整合性を持たせる必要があることから、国際規格ＣＩＳＰＲが各分野の電子機器や自動車のＥＭＣ（Ｅｌｅｃｔｒｏｍａｇｎｅｔｉｃ  Ｃｏｍｐａｔｉｂｉｌｉｔｙ）規格を制定、発行している。
【０１２９】
このようなスイッチングノイズを抑制するために、一般的には、スナバ回路やノイズフィルタ等の部品やノイズ対策部品を備えることも考えられるが、コストアップや装置の大型化が避けられない。そこで、この実施の形態８では、制御部１２が電力変換中の共振コンバータ回路１４のスイッチング周波数を変化させ続けることで、スイッチングノイズのスペクトル拡散を図り、所望の帯域におけるスイッチングノイズのピーク値を低減する。
【０１３０】
まず、スイッチングの拡散効果について説明する。スイッチング周波数を変化させることによるスイッチングノイズのスペクトル拡散効果は、非特許文献１に示されている。すなわち、次式（１２）で示されるように、スイッチング周波数が繰り返し性をもって変化する際の、繰り返し周波数ｆｍが低いほど、また、スイッチング周波数を変化させる際の最大周波数と最小周波数との差Δｆが大きいほど、スペクトル拡散指数βが大きく、好適にスイッチングノイズのピーク値が低減される。
【０１３１】
【数１２】
0005893089.tif 000013
【０１３２】
上述したノイズスペクトルの拡散方法について、図１７を用いて説明する。図１７は、この発明の実施の形態６に係る直流変換装置におけるノイズスペクトルの拡散方法を示す説明図であり、制御部１２が、共振コンバータ回路１４の半導体スイッチング素子５、６のスイッチング周波数を、時間によって変化させている様子を示している。図１７において、制御部１２は、一定の周期Ｔｍの間に周波数をｆ１（第１スイッチング周波数）〜ｆ２（第２スイッチング周波数）まで変化させている。また、上述した繰り返し周波数ｆｍは１／Ｔｍであり、Δｆはｆ２−ｆ１である。
【０１３３】
すなわち、式（１２）より、好適なスイッチングノイズのピーク値低減効果を得るためには、周波数変換の周期Ｔｍが大きく、つまり繰り返し周波数ｆｍが小さく、スイッチング周波数の変化幅Δｆが大きいほどよいことがわかる。
【０１３４】
ここで、スイッチング周波数を変化させることによるスペクトル拡散効果は、上記式（１２）で表されたスペクトル拡散指数βの値によって確認することができる。図１８（ａ）〜（ｃ）は、この発明の実施の形態６に係る直流変換装置において、スペクトル拡散指数βの変化によるスペクトル拡散効果を示す説明図である。
【０１３５】
図１８（ａ）は、β＝０の場合を示し、図１８（ｂ）は、β＝１の場合を示し、図１８（ｃ）は、β＝５の場合を示している。図１８から、スイッチング周波数を一定値ｆｃとしてスイッチング制御する場合に比べて、スペクトル拡散指数βを大きくするほど、本来のノイズピークが低減し、広帯域にスペクトルを拡散することができることが分かる。
【０１３６】
すなわち、処理負荷の増加を最低限に抑えるために、スイッチング周波数の最大周波数と最小周波数との差Δｆを制限した場合に、スペクトル拡散指数βを大きくするためには、繰り返し周波数ｆｍを小さくする必要がある。
【０１３７】
しかしながら、上述したＥＭＣ規格では、装置が発生させるノイズをスペクトルアナライザで測定する際のＲＢＷ（Ｒｅｓｏｌｕｔｉｏｎ  Ｂａｎｄ  Ｗｉｄｔｈ：分解能帯域幅）が規定されている。また、非特許文献１によれば、スイッチングノイズのスペクトルは、繰り返し周波数ｆｍ毎にピークをもって分散する。
【０１３８】
そのため、スペクトルアナライザでスイッチングノイズのスペクトルを測定した場合に、上述したスペクトル拡散効果を得るためには、繰り返し周波数ｆｍを、スペクトルアナライザのＲＢＷ以上の値に設定する必要がある。
【０１３９】
そのため、この発明の実施の形態６に係る直流変換装置の共振コンバータ回路１４において、制御部１２は、半導体スイッチング素子５、６のスイッチング周波数の繰り返し周波数ｆｍを、スペクトルアナライザのＲＢＷ以上の値に設定する。
【０１４０】
また、上記式（１２）より、スイッチング周波数の変化幅Δｆはが大きいほど、ノイズ拡散効果がある。そのため、ｆ１は小さく、ｆ２は大きくする必要がある。しかしながら、一般的に、これらの値は、ハードウェアの要素で決まる。
【０１４１】
すなわち、ｆ２は大きいほどよいが、一般的には、これらを制御するマイコンやＩＣのスペックで決まる。一方、ｆ１は小さいほどよいが、ｆ１が小さいほど、トランス９の電圧印加時間が大きくなり、磁束飽和が起こってしまう。なお、磁束飽和が起こると、トランス９に流れる電流が急激に増加する。また、この急激な電流増加は、ノイズが増加する原因となる。そのため、トランス９の磁束飽和が起こらないように、周波数変化パターンの最小周波数を設定する必要がある。
【０１４２】
ここで、スイッチング周波数とトランス９の磁束密度の変化ΔＢは、次式（１３）で与えられる。なお、式（１３）において、Ｖはトランス９の１次側端子間電圧を示し、ｄｔは電圧印加時間（スイッチング周波数ｆｓｗに反比例）を示し、Ｎはトランス１次側巻数を示し、Ａｅはトランスコアの有効断面積を示し、ｄはスイッチングのオン比を示し、ｆｓｗはスイッチング周波数を示している。
【０１４３】
【数１３】
0005893089.tif 000014
【０１４４】
また、トランス９の磁束密度の変化ΔＢは、トランス９の飽和磁束密度Ｂｓによって規定した値以下となる必要があり、この実施の形態８の共振コンバータ回路１４では、ΔＢ≦２Ｂｓを満たす必要がある。すなわち、ΔＢ≦２Ｂｓを満たすスイッチング周波数ｆｓｗを周波数変化パターンの最小周波数とする。これにより、トランス９の磁束飽和に起因するノイズの発生を抑制することができ、所望の帯域におけるスイッチングノイズのピーク値を低減することができる。
【０１４５】
なお、上記実施の形態６で説明したノイズスペクトルの拡散方法について、図１７を参照して説明したが、制御部１２のマイコンやＩＣによっては、図１７のようにスイッチング周波数をスイープさせる機能を有していない場合がある。この場合には、制御部１２は、スイッチング周波数としていくつかのパターンｆ（１）、ｆ（２）・・・ｆ（ｋ）を用意し、スイッチング周波数を順次切り替えていくことで同様の効果を得ることができる。
【０１４６】
以下、図１９を参照しながら、この場合における制御方法について説明する。図１９は、この発明の実施の形態６に係る直流変換装置におけるノイズスペクトルの拡散方法の別の例を示す説明図であり、制御部１２が制御する半導体スイッチング素子５、６のスイッチング周波数を示している。
【０１４７】
この実施の形態６においては、図１９に示されるように、制御部１２は、一定の周期Ｔｍの間に、周波数値ｆ（１）からｋ回目に出力する周波数値ｆ（ｋ）までのスイッチング周波数を、ｆ（１）→ｆ（２）→・・・・・→ｆ（ｋ）の順に出力するとき、このｆ（１）からｆ（ｋ）までの周波数値を、ｆ（１）≦ｆ（２）≦・・・≦ｆ（ｋ）またはｆ（１）≧ｆ（２）≧・・・≧ｆ（ｋ）が満たされるように設定する。
【０１４８】
また、制御部１２は、ｆ（１）からｆ（ｋ）までのスイッチング周波数でスイッチング制御するときの合計時間（１／ｆ（１））＋（１／ｆ（２））＋・・・・・＋（１／ｆ（ｋ））が、演算周期Ｔｃと一致するように、ｆ（１）からｆ（ｋ）までの周波数値を設定する。
【０１４９】
以上が、この実施の形態６の直流変換装置におけるノイズスペクトルの拡散方法である。しかしながら、一般的に、ＬＬＣ共振コンバータは、スイッチング周波数が変動するとゲインも変化することから、スイッチング周波数を変化させながらスイッチングノイズのスペクトル拡散を図ると、併せて出力電圧Ｖｏも変化する。
【０１５０】
つまり、この実施の形態６の直流変換装置の共振コンバータ回路１４は、周波数を変化させることでゲインも変化してしまい、その結果、安定した出力電圧Ｖｏを供給することができなくなる。そこで、この実施の形態６の直流変換装置では、共振コンバータ回路１４のスイッチング周波数の変動（ゲインの変動）に伴い、昇圧コンバータ回路１３の出力電圧を制御することで、安定した出力電圧Ｖｏを供給する。
【０１５１】
この制御のイメージを図２０に示す。図２０（ａ）、（ｂ）は、この発明の実施の形態６に係る直流変換装置において、共振コンバータ回路のスイッチング周波数の変動（ゲインの変動）に伴い、昇圧コンバータ回路の出力電圧を制御することを示す説明図である。
【０１５２】
図２０において、従来の制御を示す図２０（ａ）では、共振コンバータ回路１４の周波数を変化させることでゲインが変動し、共振コンバータ回路１４の出力電圧Ｖｏも変動することが分かる。これに対して、この実施の形態６に係る直流変換装置の制御を示す図２０（ｂ）では、制御部１２が、共振コンバータ回路１４の周波数の変動に合わせて、昇圧コンバータ回路１３の出力電圧を、共振コンバータ回路１４のゲイン変動を打ち消し合う方向に変動させることにより、共振コンバータ回路１４の出力電圧Ｖｏの変動を抑制し、安定した電圧を出力できることが分かる。
【０１５３】
なお、上記実施の形態６では、制御部１２が、出力電圧検出回路２３の電圧値をモニタして、出力電圧Ｖｏの変動幅を所定の電圧範囲内に抑えるように昇圧コンバータ回路１３の出力電圧を変動させるフィードバック制御を想定している。しかしながら、これに限定されず、例えば、制御ＩＣやマイコンの能力が低いか、またはセンサ回路の遅延が大きく、追従できない場合には、制御部１２は、共振コンバータ回路１４の負荷状態とスイッチング周波数とで決まる共振コンバータ回路１４のゲイン特性の情報をあらかじめインプットしておき、その情報に合わせて、昇圧コンバータ回路１３の出力電圧を変動させるように、フィードフォワード制御を実行してもよい。
【０１５４】
また、上記各実施の形態１〜６では、半導体スイッチング素子がＭＯＳＥＴとした。しかしながら、これに限定されず、半導体スイッチング素子は、例えば、ＩＧＢＴであってもよい。
【０１５５】
また、上記各実施の形態１〜６では、トランス２次側の整流回路後段から出力電圧Ｖｏまでの間に平滑用のコンデンサが並列接続されていない。しかしながら、これに限定されず、例えば、フィルムコンデンサやアルミ電解コンデンサ等のコンデンサが、整流回路後段に接続されてもよく、また、共振コンバータ回路１４の出力部に鉛バッテリ等の大きな容量成分となるものが接続されている場合には、コンデンサを接続しなくてもよい。
【０１５６】
また、上記各実施の形態１〜６では、共振コンバータ回路１４は、半導体スイッチング素子を２つ用いたハーフブリッジ構成とした。しかしながら、これに限定されず、共振コンバータ回路１４は、例えばフルブリッジ構成であってもよい。
【符号の説明】
【０１５７】
１  昇圧リアクトル、２  ダイオード、３  半導体スイッチング素子、４  平滑コンデンサ、５、６  半導体スイッチング素子、７  共振コンデンサ、８  共振リアクトル、９  トランス、１０、１１  整流用ダイオードまたは半導体スイッチング素子、１２  制御部、１３  昇圧コンバータ回路（昇圧コンバータ）、１４  共振コンバータ回路（絶縁型共振コンバータ）、２２  平滑コンデンサ電圧検出回路、２３  出力電圧検出回路、２４  出力電流検出回路、３０ａ〜３０ｅ  制御線、３１ａ〜３１ｃ  信号線、Ｖｉ  入力電圧、Ｖｏ  出力電圧。
【図１】
0005893089.tif 000015
【図２】
0005893089.tif 000016
【図３】
0005893089.tif 000017
【図４】
0005893089.tif 000018
【図５】
0005893089.tif 000019
【図６】
0005893089.tif 000020
【図７】
0005893089.tif 000021
【図８】
0005893089.tif 000022
【図９】
0005893089.tif 000023
【図１０】
0005893089.tif 000024
【図１１】
0005893089.tif 000025
【図１２】
0005893089.tif 000026
【図１３】
0005893089.tif 000027
【図１４】
0005893089.tif 000028
【図１５】
0005893089.tif 000029
【図１６】
0005893089.tif 000030
【図１７】
0005893089.tif 000031
【図１８】
0005893089.tif 000032
【図１９】
0005893089.tif 000033
【図２０】
0005893089.tif 000034